(57)【要約】【課題】  ハンガーストッカー自体の保管スペースを抑え、効率的な管理ができるハンガーストッカーを提供することにある。【解決手段】  平面視略Ｖ字状の基台と、基台の内側辺の平面視略三角形状の各角部から起立する３本の棒材からなるハンガーガイドとからなり、ハンガーを、ハンガーガイドの上方から嵌挿し、基台の上面に積載することを特徴とし、また、基台に下面に複数の車輪を備えると共に、車輪のある基台の上面に車輪収容部を設け、複数のハンガーストッカーを、基台を上下に重ね合わせて積み重ねることが可能なことを特徴とする。【選択図】図１
2017074230.tif 000002
【特許請求の範囲】
【請求項１】
使用していないハンガーを整理及び保管するためのハンガーストッカーにおいて、
平面視略Ｖ字状の基台と、
該基台の内側辺の平面視略三角形状の各角部から起立する３本の棒材からなるハンガーガイドとからなり、
該ハンガーを、該ハンガーガイドの上方から嵌挿し、該基台の上面に積載することを特徴とするハンガーストッカー。
【請求項２】
複数の前記ハンガーストッカーを、前記基台を上下に重ね合わせて積み重ねることが可能なことを特徴とする請求項１記載のハンガーストッカー。
【請求項３】
前記基台に下面に複数の車輪を備えると共に、該車輪のある該基台の上面に車輪収容部を設け、
複数の前記ハンガーストッカーを、該基台を上下に重ね合わせて積み重ねることが可能なことを特徴とする請求項１記載のハンガーストッカー。
【請求項４】
複数の前記ハンガーストッカーを、前記基台の平面視略Ｖ字状の内側の辺と外側の辺とを近接させて並置可能なことを特徴とする請求項１〜請求項３のいずれかに記載のハンガーストッカー。
【請求項５】
複数の前記ハンガーストッカーを、前記基台の平面視略Ｖ字状の外側の辺同士を近接させて並置可能なことを特徴とする請求項１〜請求項４のいずれかに記載のハンガーストッカー。
【請求項６】
複数の前記ハンガーストッカーを、前記基台の平面視略Ｖ字状の辺の端部同士を近接させて並置可能なことを特徴とする請求項１〜請求項５のいずれかに記載のハンガーストッカー。
【発明の詳細な説明】
【技術分野】
【０００１】
本発明は、使用していないハンガーを整理及び保管するためのハンガーストッカーに関する。
【背景技術】
【０００２】
従来より、デパートの洋服売り場や洋服店では、多量のハンガーを保有し、その保有するハンガーを、同時に整理及び保管するものとして、ハンガーストッカーが用いられている。従来のハンガーストッカーとしては、特許文献１のハンガー保管用スタンドや特許文献２のハンガー用整理装置等がある。
【０００３】
特許文献１のハンガー保管用スタンドは、ハンガー主体の頂部寄り両側部を安定支持させるための第１支柱と、ハンガー主体のずぼん吊下杆の連設端部をその両内側部から安定支持させるための第２支柱とからなるハンガー支持用スタンドを、正方形又は長方形の板材である基台上に立設した構造である。
【０００４】
特許文献２のハンガー用整理装置は、複数本の棒材を略水平に略長方形状に組み上げた基台と、基台に立設するフック側ガイド体と、フック側ガイド体に対して離隔接近自在となるよう基台に装着する本体側ガイド体とを備え、フック側ガイド体には、比較的接近した二本の平行なガイド柱部を設け、本体側ガイド体には、比較的離れた二本の平行なガイド柱部を設け、フック側ガイド体Ｂの二本のガイド柱部の間に、ハンガーのフックの首部が収まるよう形成し、本体側ガイド体の二本のガイド柱部にハンガーの本体が接触するような構造である。
【先行技術文献】
【特許文献】
【０００５】
【特許文献１】実開昭４８−７０９３９号公報
【特許文献２】特開平１０−５０８８号公報
【発明の概要】
【発明が解決しようとする課題】
【０００６】
しかしながら、従来のハンガー保管用スタンドやハンガー用整理装置といったハンガーストッカーは、基台部分が正方形状であったり長方形状であったりするため、ハンガーを保管した状態であっても保管していない状態であっても、複数のハンガーストッカーを管理する場合に、広いスペースを必要とし、より効率的な管理ができないという問題がある。
【０００７】
本発明は、このような事情に鑑みてなされたもので、ハンガーストッカー自体の保管スペースを抑え、効率的な管理ができるハンガーストッカーを提供することにある。
【課題を解決するための手段】
【０００８】
請求項１記載のハンガーストッカーは、平面視略Ｖ字状の基台と、基台の内側辺の平面視略三角形状の各角部から起立する３本の棒材からなるハンガーガイドとからなり、ハンガーを、ハンガーガイドの上方から嵌挿し、基台の上面に積載することを特徴とする。
【０００９】
請求項２記載のハンガーストッカーは、複数のハンガーストッカーを、基台を上下に重ね合わせて積み重ねることが可能なことを特徴とする。
【００１０】
請求項３記載のハンガーストッカーは、基台に下面に複数の車輪を備えると共に、車輪のある基台の上面に車輪収容部を設け、複数のハンガーストッカーを、基台を上下に重ね合わせて積み重ねることが可能なことを特徴とする。
【００１１】
請求項４記載のハンガーストッカーは、複数のハンガーストッカーを、基台の平面視略Ｖ字状の内側の辺と外側の辺とを近接させて並置可能なことを特徴とする。
【００１２】
請求項５記載のハンガーストッカーは、複数のハンガーストッカーを、基台の平面視略Ｖ字状の外側の辺同士を近接させて並置可能なことを特徴とする。
【００１３】
請求項６記載のハンガーストッカーは、複数のハンガーストッカーを、基台の平面視略Ｖ字状の辺の端部同士を近接させて並置可能なことを特徴とする。
【発明の効果】
【００１４】
本願の発明によれば、ハンガーストッカー自体の保管スペースを抑え、効率的な管理が可能である。
【図面の簡単な説明】
【００１５】
【図１】本発明に係るハンガーストッカーの一例を示す斜視図である。
【図２】同ハンガーストッカーの正面図である。
【図３】同ハンガーストッカーの側面図である。
【図４】同ハンガーストッカーの平面図である。
【図５】同ハンガーストッカーの使用方法の一例を示す説明である。
【図６】同ハンガーストッカーの使用方法の他の例を示す説明である。
【図７】同ハンガーストッカーの使用方法のさらに他の例を示す説明である。
【図８】同ハンガーストッカーの使用方法のさらに他の例を示す説明である。
【発明を実施するための形態】
【００１６】
以下、本発明の形態について図面を参照しながら具体的に説明する。図１は、本発明に係るハンガーストッカーの一例を示す斜視図である。図２は、同ハンガーストッカーの正面図である。図３は、同ハンガーストッカーの側面図である。図４は、同ハンガーストッカーの平面図である。図５は、同ハンガーストッカーの使用方法の一例を示す説明である。図６は、同ハンガーストッカーの使用方法の他の例を示す説明である。図７及び図８は、同ハンガーストッカーの使用方法のさらに他の例を示す説明である。
【００１７】
本発明に係るハンガーストッカー１，２は、使用していないハンガーＨを整理及び保管するためのものである。ハンガーストッカー１とハンガーストッカー２とは、同一のものである。以下、ハンガーストッカー１，２の構造や使用方法を説明する。
【００１８】
ハンガーストッカー１，２は、基台１０とハンガーガイド２０等で構成されている。基台１０は、略水平に設けられた薄板状で、平面視略Ｖ字状である。基台１０は、より具体的には、左右それぞれの右辺部１２と左辺部１４とからなり、右辺部１２と左辺部１４とが合流しているＶ字状の部分が角部１０ｂである。そして、右辺部１２と左辺部１４の角部１０ｂとは対極の部分が、それぞれ端部１２ｃ及び端部１４ｃとなっている。尚、本実施の形態の各図に示す基台１０の右辺部１２と左辺部１４の端部１２ｃ及び端部１４ｃに、正方形の張り出しを有している形状になっているが、このような張り出し形状になっていても、単に右辺部１２と左辺部１４がまっすぐ伸びているだけの形状であってもよい。
【００１９】
基台１０の角部１０ｂ、右辺部１２の端部１２ｃ及び左辺部１４の端部１４ｃのそれぞれの付近に下面には、略Ｕ字状の板材を曲げた車輪取付部４０，４２，４４が設けられ、その下に車輪３０，３２，３４が設けられている。車輪取付部４０，４２，４４の上側の基台１０の角部１０ｂ、右辺部１２の端部１２ｃ及び左辺部１４の端部１４ｃのそれぞれの付近には、穴が穿設され、車輪３０，３２，３４が嵌まり込む車輪収容部１０ｄ，１２ｄ，１４ｄが設けられている。
【００２０】
基台１０からは、ハンガーＨを上方から嵌挿するためのハンガーガイド２０が起立している。ハンガーガイド２０は、基台１０の内側辺から起立する３本の棒状の支柱２２，２４，２６からなる。支柱２２，２４，２６が起立する位置は、支柱２２が基台１０の角部１０ｂの内側で、支柱２４が右辺部１２の端部１２ｃの手前の内側で、支柱２６が左辺部１４の端部１４ｃの手前の内側で、平面視で支柱２２，２４，２６が基台１０の内側辺の平面視略三角形状の各角部から起立するように見える位置になる。尚、本実施の形態のハンガーストッカー１，２のハンガーガイド２０の支柱２２，２４，２６は、上端部分で互いに接続されているが、必ずしも接続されている必要はない。
【００２１】
以上のような構成のハンガーストッカー１，２を使用する場合、図４に示すように、ハンガーＨを、ハンガーガイド２０の上方から嵌挿し、基台１０の上面１０ａに積載するようにする。但し、ハンガーＨを、絶えず整理及び保管しているわけではなく、ハンガーストッカー１，２だけを、保管しておく必要がある場合も多々ある。このような場合、本実施の形態のハンガーストッカー１，２であれば、例えば、図５に示すように、複数のハンガーストッカー１，２を、基台１０を上下に重ね合わせて積み重ねることが可能である。この場合、基台１０に下面に複数の車輪３０，３２，３４を備えていたとしても、車輪３０，３２，３４のある基台１０の上面１０ａに車輪収容部１０ｄ，１２ｄ，１４ｄを設けることで、複数のハンガーストッカー１，２を、基台１０を上下に重ね合わせて積み重ねることが可能となる。
【００２２】
また、ハンガーＨを基台１０に載置した状態であっても、複数のハンガーストッカー１，２を、１箇所に保管しておく必要がある場合もあり、この時は、以下、例えば、図６に示すように、複数のハンガーストッカー１，２を、基台１０の平面視略Ｖ字状の内側の辺と外側の辺と（ハンガーストッカー１の右辺部１２の辺部内側１２ｂとハンガーストッカー２の右辺部１２の辺部外側１２ａ、ハンガーストッカー１の左辺部１４の辺部内側１４ｂとハンガーストッカー２の左辺部１４の辺部外側１４ａ）を近接させて並置することも可能である。
【００２３】
さらに、図７に示すように、複数のハンガーストッカー１，２を、基台１０の平面視略Ｖ字状の外側の辺同士（ハンガーストッカー１の左辺部１４の辺部外側１４ａとハンガーストッカー２の右辺部１２の辺部外側１２ａ）を近接させて並置することも可能である。
【００２４】
さらに、図８に示すように、複数のハンガーストッカー１，２を、基台１０の平面視略Ｖ字状の辺の端部同士（ハンガーストッカー１の右辺部１２の端部１２ｃとハンガーストッカー２の左辺部１４の端部１４ｃ、ハンガーストッカー１の左辺部１４の端部１４ｃとハンガーストッカー２の右辺部１２の端部１２ｃ）を近接させて並置することも可能である。
【００２５】
このように、本実施の形態のハンガーストッカー１，２によれば、複数のハンガーストッカー１，２を、積み重ねたり並置することで、ハンガーストッカー１，２自体の保管スペースを抑え、効率的な管理ができる。
【産業上の利用可能性】
【００２６】
以上のように、本発明によれば、ハンガーストッカー自体の保管スペースを抑え、効率的な管理ができるハンガーストッカーを提供することができる。
【符号の説明】
【００２７】
１・・・・・ハンガーストッカー
２・・・・・ハンガーストッカー
１０・・・・基台
１０ａ・・・上面
１０ｂ・・・角部
１０ｄ・・・車輪収容部
１２・・・・右辺部
１２ａ・・・辺部外側
１２ｂ・・・辺部内側
１２ｃ・・・端部
１２ｄ・・・車輪収容部
１４・・・・左辺部
１４ａ・・・辺部外側
１４ｂ・・・辺部内側
１４ｃ・・・端部
１４ｄ・・・車輪収容部
２０・・・・ハンガーガイド
２２・・・・支柱
２４・・・・支柱
２６・・・・支柱
３０・・・・車輪
３２・・・・車輪
３４・・・・車輪
４０・・・・車輪取付部
４２・・・・車輪取付部
４４・・・・車輪取付部
【図１】
2017074230.tif 000003
【図２】
2017074230.tif 000004
【図３】
2017074230.tif 000005
【図４】
2017074230.tif 000006
【図５】
2017074230.tif 000007
【図６】
2017074230.tif 000008
【図７】
2017074230.tif 000009
【図８】
2017074230.tif 000010